(57)【要約】【課題】  複数の接続片が一体的に形成された外部端子を、接続端子に接続する場合、接続端子の端子間ピッチが異なると接続ができなかった。【解決手段】  並設された複数の接続端子１１、この接続端子１１に設けられた並設方向に長い端子ねじ挿通用の長穴１１ａ、長穴１１ａに挿通された端子ねじ１３およびこれに螺合するナット１４、接続端子１１を受容する複数本の凹部１ａおよび端子ねじ１３とナット１４を収容しかつ端子ねじ１３の並設方向への動きを許す空間１ｂ、１ｂｂを有する絶縁物からなるベース１、接続端子１１を覆ってベース１上に装着された絶縁物からなるカバー２、カバー２の下端に垂下して設けられ、カバー２を１ベースに装着するとき、端子ねじ１３の少なくとも一個を長穴１１ａに沿って移動させる位置決め突起２ａを備えた。【選択図】図２
2005317379.tif 000002
【特許請求の範囲】
【請求項１】
並設された複数の接続端子、この接続端子に設けられた、並設方向に長い端子ねじ挿通用の長穴、上記長穴に挿通された端子ねじおよびこれに螺合するナット、上記接続端子を受容する複数本の凹部と、上記端子ねじとナットを収容しかつ上記端子ねじが上記長穴に沿って動くことを許す空間とを有する絶縁物からなるベース、上記接続端子を覆って上記ベース上に装着された絶縁物からなるカバー、上記カバーの下端に垂下して設けられ、上記カバーを上記ベースに装着するとき、上記端子ねじの少なくとも一個を上記長穴に沿って移動させる位置決め突起を備えたことを特徴とする端子構造。
【請求項２】
遮断器機構部、上記遮断器機構部から並列に延出する複数の接続端子、この接続端子に設けられた並設方向に長い端子ねじ挿通用の長穴、上記長穴に挿通された端子ねじおよびこれに螺合するナット、上記接続端子を受容する複数本の凹部と、上記端子ねじとナットを収容しかつ上記端子が上記長穴に沿って動くことを許す空間とを有する絶縁物からなるベース、上記遮断器機構部および上記接続端子を覆って上記ベース上に装着された絶縁物からなるカバー、上記カバーの下端に垂下して設けられ、上記カバーを上記ベースに装着するとき、上記端子ねじの少なくとも一個を上記長穴に沿って移動させる位置決め突起を備えたことを特徴とする回路遮断器の端子構造。
【請求項３】
上記接続端子は、３個並設され、上記位置決め突起は、両外側の接続端子に設けられた端子ねじを上記長穴に沿って内方向または外方向のいずれかに移動させるように上記カバーに設けられていることを特徴とする請求項１に記載の端子構造または請求項２に記載の回路遮断器の端子構造。
【請求項４】
上記ベースは、上記ナットを収容する空間がナットの回り止め形状になされていることを特徴とする請求項１に記載の端子構造または請求項２に記載の回路遮断器の端子構造。
【請求項５】
上記位置決め突起は、下端部が上記端子ねじまたは端子ねじに装着された端子押えに接触するものであり、その接触部がテーパ状に形成されていることを特徴とする請求項１に記載の端子構造または請求項２に記載の回路遮断器の端子構造。
【請求項６】
上記カバーは、上記遮断器機構部を覆う第１のカバーと、上記接続端子を覆う第２のカバーとに分割されていることを特徴とする請求項２に記載の回路遮断器の端子構造。
【発明の詳細な説明】
【技術分野】
【０００１】
この発明は、外部端子を接続する端子構造および回路遮断器の端子構造に関するものである。
【背景技術】
【０００２】
従来の回路遮断器の端子構造は、特許文献１に開示されているように、ベースとカバーで形成された筐体の凹部に接続端子が配設され、この接続端子に外部端子を接触させた状態で端子ねじにより外部端子を挟持するようになされていた。
【０００３】
【特許文献１】特開２００３−３４６６３３（図１）
【発明の開示】
【発明が解決しようとする課題】
【０００４】
従来の回路遮断器の端子構造は以上のように構成されていたので、複数の接続片が一体に形成された外部端子を接続端子に接続する場合、接続片ピッチが異なる外部端子を接続端子に接続することはできなかった。そのため、外部端子の接続片ピッチが異なれば、その都度、そのピッチに合う端子構造を用いなければならないという問題があった。
【０００５】
この発明は、上述のような問題を解決するためになされたもので、接続端子の端子間ピッチを簡単に変更し、接続片ピッチの異なる外部端子との接続を容易に行うことのできる端子構造および回路遮断器の端子構造を提供するものである。
【課題を解決するための手段】
【０００６】
この発明に係る端子構造は、並設された複数の接続端子、この接続端子に設けられた、並設方向に長い端子ねじ挿通用の長穴、上記長穴に挿通された端子ねじおよびこれに螺合するナット、上記接続端子を受容する複数本の凹部と、上記端子ねじとナットを収容しかつ上記端子ねじが上記長穴に沿って動くことを許す空間とを有する絶縁物からなるベース、上記接続端子を覆って上記ベース上に装着された絶縁物からなるカバー、上記カバーの下端に垂下して設けられ、上記カバーを上記ベースに装着するとき、上記端子ねじの少なくとも一個を上記長穴に沿って移動させる位置決め突起を備えたものである。
【０００７】
また、この発明に係る回路遮断器の端子構造は、遮断器機構部、上記遮断器機構部から並列に延出する複数の接続端子、この接続端子に設けられた並設方向に長い端子ねじ挿通用の長穴、上記長穴に挿通された端子ねじおよびこれに螺合するナット、上記接続端子を受容する複数本の凹部と、上記端子ねじとナットを収容しかつ上記端子が上記長穴に沿って動くことを許す空間とを有する絶縁物からなるベース、上記遮断器機構部および上記接続端子を覆って上記ベース上に装着された絶縁物からなるカバー、上記カバーの下端に垂下して設けられ、上記カバーを上記ベースに装着するとき、上記端子ねじの少なくとも一個を上記長穴に沿って移動させる位置決め突起を備えたものである。
【発明の効果】
【０００８】
この発明に係る端子構造および回路遮断器の端子構造は、カバーをベースに装着する際に、カバーの位置決め突起により端子ねじを移動させて端子ピッチを自動的に変更できるようにしているので、端子間ピッチの異なる端子構造を別個に準備する必要がなく、外部端子と接続端子との接続作業が簡単に行える。
【発明を実施するための最良の形態】
【０００９】
実施の形態１．
図１はこの発明の実施の形態１に係る回路遮断器の端子構造を示す斜視図、図２は図１の分解斜視図、図３は図２の端子部の拡大斜視図、図４は図２のベースの拡大斜視図、図５は図１のＡ−Ａ線に沿う断面図で、（ａ）（ｂ）は端子間ピッチが異なる場合を示す図である。
【００１０】
図において、回路遮断器１００はそれぞれ絶縁物からなるベース１と、これに装着されたカバー２で形成された筺体と、この筺体に収納された遮断器機構部１０とを備えている。遮断器機構部１０からは所定の間隔で複数（本例では３個）の接続端子１１が延出して設けられている。図３により詳細に示すように、この接続端子１１には、隣接する接続端子の方向に長い長孔１１ａが設けられ、この長孔１１ａには後述する外部端子の接続片を挟持する端子ねじ１３が挿通される。端子ねじ１３は、このねじに遊びがないように挿通された端子押え１２を有している。端子押え１２は４角形をしており、その四辺の上縁にテーパ部１２ａが形成されている。端子ねじ１３は４角または６角形状のナット１４に螺合し、接続端子１１上に載置される後述する外部端子の接続片を端子押え１２と接続端子１１との間に締め付け挟持する。
【００１１】
外部端子４は上記接続端子１１にそれぞれ接続される複数（本例では３個）の接続片４ａが一体に形成されている。
【００１２】
回路遮断器１００のベース１には、遮断器機構部１０をベース１と組み合わせたとき、接続端子１１を収容する３本の凹部１ａが、接続端子１１の動きを規制する隔壁１ｃに区画されて設けられている。各区画された凹部１ａの底には、ナット１４の回転を抑えかつナット１４が隣接する凹部の方向、すなわち長穴１１ａに沿う方向へ動くことを許すナット保持穴１ｂが設けられている。さらに、このナット保持穴１ｂの底には、ナット１４より突き出た端子ねじ１３の下端が、隣接する凹部の方向に動ける程度の穴１ｂｂが形成されている。このナット保持穴１ｂの平面は図４に示されている。
【００１３】
遮断器機構部１０および接続端子１１部分を上方から覆うカバー２の中央には、遮断器機構部１０を手動で操作するハンドル３が設けられている。カバー２の、接続端子１１を覆う部分は、端子ねじ１３の頭部を捻るねじ回しを通す穴２ｃを備えているが、この穴２ｃは下方が端子ねじ１３の頭部より大きく広げられ、ねじ１３が隣接するねじの方向、すなわち接続端子１３の並設方向、つまり図で左右に移動できるようになされている。カバー２には、このカバー２をベース１と組み合わせたとき、端子ねじ１３の位置を決める位置決め突起２ａが垂下してカバー２の両側にカバーに一体に設けられ、この位置決め突起２ａはベース１の両外側に設けられた隔壁１ｃの内側に嵌り込む（図５（ａ）に示す場合）。位置決め突起２ａが設けられる位置は、端子ねじ１３が設けられている位置に合わせてある。位置決め突起２ａの下端の内縁にはテーパ部２ｂが形成され、このテーパ部２ｂが端子押え１２のテーパ部１２ａと接するようになされている。
【００１４】
図５（ａ）に示したカバー２と交換可能なカバーとして、図５（ｂ）に示すカバー２Ａを準備する。カバー２と２Ａとの違いは、カバー２Ａでは、位置決め突起２Ａａがベース１の内側の隔壁１ｃと接し、そのテーパ部２Ａｂが両側に位置するねじの内側にくるようになされている点にある。
【００１５】
次に、以上のように構成された回路遮断器の端子構造の組立てについて説明する。
（１）ナット１４をベース１に形成されたナット保持穴１ｂに挿入する。
（２）遮断器機構部１０をベース１上に置く。この時、接続端子１１が凹部１ａに嵌り込む。
（３）端子押え１２を端子ねじ１３に挿通した状態で端子ねじ１３を、接続端子１１の長孔１１ａに嵌挿させた後、ナット１４に螺合させて締め付け方向に回す。このとき、ナット１４の外形は４角または６角形に形成されているので穴１ｂにより回転が規制され、端子ねじ１３はナット１４に確実に締め込むことができる。なお、端子ねじ１３と端子押え１２とナット１４は、長穴１１ａに沿って移動できる程度に緩めておく。
【００１６】
（４）ベース１にカバー２を装着する。この時、カバー２の位置決め突起２ａに形成されたテーパ部２ｂが端子押え１２に形成されたテーパ部１２ａに当接してこれを押すため、両側に位置する端子ねじ１３は長孔１１ａをそれぞれ内側（図５（ａ）の場合）に移動して端子間ピッチがＬ１に自動的に設定される。また、ベース１にカバー２Ａを装着した場合には、カバー２Ａの位置決め突起２Ａａに形成されたカバーテーパ部２Ａｂが、両側の端子ねじの端子押え１２に形成されたテーパ部１２ａに当接してこれを押すため、両側に位置する端子ねじ１３は長孔１１ａに沿ってそれぞれ外側（図５（ｂ）の場合）に移動して端子間ピッチがＬ２に自動的に設定される。
（５）端子間ピッチがＬ１またはＬ２の外部端子４の接続片４ａを接続端子１１と端子押え１２との間に挿入した後、カバー２または２Ａの穴２ｃまたは２Ａｃからねじ回しで端子ねじ１３を回すことにより接続片４ａを接続端子１１に締め付け固定する。
【００１７】
以上のように、この発明の実施の形態１における回路遮断器の端子構造によれば、複数の接続片が一体になっている外部端子で、端子間ピッチが異なるものを接続端子１１にねじ止め接続する場合、その外部端子に対応するカバー２または２Ａのいずれかを選択してベース１と組み合わせるだけで接続端子１１の端子ねじ１３のピッチが自動的に設定できるため、接続作業が極めて簡単になる。
【００１８】
実施の形態２．
図６はこの発明の実施の形態２に係る回路遮断器の端子構造を示す分解斜視図、図７は図６のＢ−Ｂ線に沿う断面図で、（ａ）（ｂ）は端子間ピッチが異なる場合を示す。図中、図１〜図５と同一の要素には同一の符号を付して詳細な説明を省略する。図において、本実施の形態に係る回路遮断器の端子構造１０１が実施の形態１の回路遮断器の端子構造１００と異なる点は、図１に示すカバー２を、遮断器機構部１０を覆う第１のカバー２０と接続端子を覆う第２のカバー２１とに分離した点である。
【００１９】
第２のカバー２１の接続端子１１を覆う部分には、端子ねじ１３の頭部を捻るねじ回しを通す穴２１ｃを備えているが、この穴２１ｃは下方が端子ねじ１３の頭部よりかなり大きく広げられ、ねじ１３が隣接のねじの方向つまり図で左右に移動できるようになされている。第２のカバー２１には、位置決め突起２１ａが第２のカバー２１から垂下して両側に一体に設けられ、この位置決め突起２１ａは、第２のカバー２１をベース１に装着したとき、ベース１の両外側に設けられた隔壁１ｃの内側に嵌り込む（図７（ａ）に示す場合）。位置決め突起２１ａは端子ねじ１３の側方に位置するように配置されるとともに、位置決め突起２１ａの下端の内縁にはテーパ部２１ｂが形成されている。
【００２０】
図７（ａ）に示す第２のカバー２１と交換可能なカバーとして、図７（ｂ）に示す第２のカバー２１Ａを準備する。第２のカバー２１と２１Ａとの違いは、第２のカバー２１Ａでは、位置決め突起２１Ａａがベース１の内側の隔壁１ｃと接し、そのテーパ部２１Ａｂが両側のねじの内側にくるようになされている点にある。
【００２１】
次に以上のように構成されたこの発明の実施の形態２における回路遮断器の端子構造の組立てについて説明する。
（１）遮断器機構部（図示しない）をベース１上に置き、その上を第１のカバー２０で覆う。この時、接続端子１１が凹部１ａに嵌り込む。
（２）ナット１４をベース１に形成されたナット保持穴１ｂに挿入する。
（３）端子押え１２を端子ねじ１３に挿通した状態で端子ねじ１３を長孔１１ａに嵌挿させた後、ナット１４に螺合させて締め付け方向に回動する。この時、端子ねじ１３と端子押え１２とナット１４が隣接する他の接続端子の方向へ移動できる程度に緩めておく。
【００２２】
（４）ベース１に第２のカバー２１を装着する。この時、第２のカバー２１の位置決め突起２１ａに形成されたテーパ部２１ｂが端子押え１２に形成されたテーパ部１２ａに当接してこれを押すため、両側に位置する端子ねじ１３は長孔１１ａに沿ってそれぞれ内側（図７（ａ）の場合）に移動し、端子間ピッチがＬ３に自動的に設定される。また、ベース１にカバー２１Ａを装着した場合には、カバー２１Ａの位置決め突起２１Ａａに形成されたテーパ部２１Ａｂが両側の端子ねじの端子押え１２に形成されたテーパ部１２ａに当接してこれを押すため、両側に位置する端子ねじ１３は長孔１１ａに沿ってそれぞれ外側（図５（ｂ）の場合）に移動し、端子間ピッチがＬ４に自動的に設定される。
（５）端子間ピッチがＬ３またはＬ４の外部端子４の接続片４ａを接続端子１１と端子押え１２との間に挿入した後、カバー２１または２１Ａの穴２１ｃまたは２１Ａｃからねじ回しで端子ねじ１３を回動することにより接続片４ａを接続端子１１に締め付け固定する。
【００２３】
以上のように、この発明の実施の形態２における回路遮断器の端子構造によれば、必要とする端子間ピッチ（Ｌ３、Ｌ４）に対応した第２のカバー２１または２１Ａをベース１に装着することによって、容易に端子ねじ１３を所定の端子間ピッチに設定することができ、第２のカバー２１または２１Ａが第１のカバー２０とは別体になっているので、回路遮断器が装着されている状態でも第２のカバー２１または２１Ａを交換することにより端子ねじ１３の位置を所定の端子間ピッチに変更することができる。
【産業上の利用可能性】
【００２４】
この発明は回路遮断器の端子構造はもとより、各種電気機器に使用される端子構造に利用可能である。
【図面の簡単な説明】
【００２５】
【図１】この発明の実施の形態１に係る端子構造を示す斜視図である。
【図２】実施の形態１に係る端子構造を示す分解斜視図である。
【図３】実施の形態１に係る端子構造の端子部を拡大して示す斜視図である。
【図４】実施の形態１に係る端子構造のベースの要部を拡大して示す平面図である。
【図５】図１のＡ−Ａ線に沿う断面図で、（ａ）（ｂ）は端子間ピッチが異なるものを示す。
【図６】この発明の実施の形態２に係る端子構造を示す分解斜視図である。
【図７】図６のＢ−Ｂ線に沿う断面図で、（ａ）（ｂ）は端子間ピッチが異なるものを示す。
【符号の説明】
【００２６】
１  ベース、                          １ｂ  ナット保持穴、
１ｂｂ  穴、                          １ｃ  隔壁、
２、２Ａ  カバー、
２ａ、２Ａａ  位置決め突起、
２ｂ、２Ａｂ  テーパ部、
２ｃ、２Ａｃ  穴、
３  ハンドル、                        ４  外部端子、
４ａ  接続片、                        １０  遮断機構部、
１１  接続端子、                      １１ａ  長孔、
１２  端子押え、                      １２ａ  テーパ部、
１３  端子ねじ、                      １４  ナット、
２０  第１のカバー、
２１、２１Ａ  第２のカバー、
２１ａ、２１Ａａ  位置決め突起、
２１ｂ、２１Ａｂ  テーパ部、
２１ｃ、２１Ａｃ  穴、
１００  回路遮断器、                  １０１  回路遮断器。
【図１】
2005317379.tif 000003
【図２】
2005317379.tif 000004
【図３】
2005317379.tif 000005
【図４】
2005317379.tif 000006
【図５】
2005317379.tif 000007
【図６】
2005317379.tif 000008
【図７】
2005317379.tif 000009